(57)【要約】【課題】動画コンテンツ閲覧プログラムにおいて、従来のプレビュー再生方法は、選択枠を一つずつ移動させる方法が一般的であり、目的のコンテンツをプレビュー再生するまでに、何度も矢印キーを押すケースが多い事から、キーボードやリモコンの矢印キーを利用した操作には不向きである。【解決手段】情報表示画面１において、キーボードやリモコンの矢印キーを利用してサムネイル２を選択すると、コンテンツのサムネイル２の表示が消え、サムネイル２の表示エリアに動画コンテンツ２が再生表示される（プレビュー再生）。矢印キーが上下左右の四方向であった場合、サムネイル２に隣接するサムネイル３、サムネイル４、サムネイル５、サムネイル６も表示が消え、それぞれの表示エリアに動画コンテンツ３、動画コンテンツ４、動画コンテンツ５、動画コンテンツ６が再生表示される。【選択図】図１
2007233797.tif 000002
【特許請求の範囲】
【請求項１】
静止画サムネイルまたは動画コンテンツを複数表示する表示ステップと、前記表示ステップで表示されたコンテンツを選択する選択ステップと、前記選択ステップで選択されたコンテンツの周囲に配置されている、複数のコンテンツを再生対象として判断する再生対象判断ステップと、判断ステップで判断された再生対象のコンテンツを動画再生する動画再生ステップを有することを特徴とする再生方法。
【請求項２】
前記動画再生ステップでの処理負荷を監視する処理負荷監視ステップと、前記処理負荷監視ステップで計測した処理量が所定の値を超える場合には、前記動画再生ステップで再生される動画のフレームレートの変更を行うフレームレート変更ステップをさらに有することを特徴とする請求項１に記載の再生方法。
【請求項３】
前記動画再生ステップでの処理負荷を計測する処理負荷監視ステップと、前記処理負荷監視ステップで計測した処理量が所定の値を超える場合には、前記判断ステップで再生対象と判断されるコンテンツの数を減らす処理ステップをさらに有することを特徴とする、請求項１に記載の再生方法。
【請求項４】
請求項１から請求項３のいずれかの請求項に記載の再生方法によってコンテンツを再生する再生装置。
【請求項５】
請求項１から請求項３のいずれかの請求項に記載の再生方法を動作させるプログラム。
【請求項６】
請求項５に記載のプログラムを記録した媒体。
【発明の詳細な説明】
【技術分野】
【０００１】
本発明は、動画コンテンツをプレビュー再生する技術に関し、特に、複数の動画コンテンツを同時にプレビュー再生する技術に関するものである。
【背景技術】
【０００２】
従来の技術では、動画コンテンツ閲覧プログラムにおいて、画面に複数表示されている静止画のサムネイルを、マウスによって選択するか、あるいはマウスポインタやビューワをサムネイル上に持ってくることで、選択した動画コンテンツをプレビュー再生していた。これにより、大量の動画コンテンツを扱う上で、コンテンツ内容の確認を効率的に行うことが可能となった。（例えば、特許文献１、２参照。）
【特許文献１】特開２００５−２０２８６３号公報
【特許文献２】特開２００５−３３３０８号公報
【発明の開示】
【発明が解決しようとする課題】
【０００３】
しかしながら、キーボードやリモコンの矢印キーを利用して動画コンテンツのプレビュー再生を行う場合、選択枠を一つずつ移動させる方法が一般的であり、目的のコンテンツをプレビュー再生するまでに、何度も矢印キーを押すケースが多いことから、従来のプレビュー再生方法は、キーボードやリモコンの矢印キーを利用した操作には不向きであった。
【０００４】
そこで本発明は、複数の動画コンテンツを同時にプレビュー再生することで、キーボードやリモコンの矢印キーを利用した操作に適したプレビュー再生方法を提供することを目的とする。
【課題を解決するための手段】
【０００５】
上記目的を達成するために、本発明のプレビュー再生方法は、静止画サムネイル及び動画コンテンツを複数表示するコンテンツ表示手段と、リモコンやキーボードの矢印キーを利用してプレビュー再生を行う対象を選択するコンテンツ選択手段と、選択された動画コンテンツの周囲に配置されている複数の動画コンテンツをプレビュー再生対象として判断する再生対象選別手段と、複数の動画コンテンツを同時に再生する再生処理手段と、複数の動画コンテンツのプレビュー再生によって、システムの処理能力が限界となった場合に、フレームレートの変更やプレビュー再生の対象となるコンテンツの数をリアルタイムに制御する処理負荷監視手段を備える。
【０００６】
このような構成により、システムの処理能力を効率的に利用し、選択された動画コンテンツのプレビュー再生と、選択された動画コンテンツの周囲に配置されている複数の動画コンテンツを同時にプレビュー再生することができる。
【発明の効果】
【０００７】
以上のように本発明のプレビュー再生方法によれば、同時にプレビュー再生可能なコンテンツが増えるため、キーボードやリモコンによる操作において、矢印キーを押す回数を削減することができる。また、プレビュー再生対象選別手段によって、キーボードやリモコンの矢印キーを一回押す場合に選択可能なコンテンツのみをプレビュー再生することにより、ユーザが次に選択する可能性のあるコンテンツを先にプレビューすることができる。さらに、プレビュー再生対象選別手段及び処理負荷監視手段によって、マルチタスク環境において他タスクへの影響を軽減し、システムの処理能力を効率的に利用することができる。
【発明を実施するための最良の形態】
【０００８】
本発明の実施の形態にかかるプレビュー再生方法では、動画コンテンツ閲覧プログラムに表示される静止画サムネイルを、ユーザが選択することによって、複数の動画コンテンツをプレビュー再生する。
【０００９】
（実施の形態）
図１は、本発明の実施の形態にかかるプレビュー再生方法を利用するための動画コンテンツ閲覧プログラムにおける情報表示画面の構成を示す図である。ここで、情報表示画面とは、動画コンテンツのフレーム画像から切り出した静止画のサムネイルと、動画コンテンツの動画像そのものを再生表示する画面であり、複数のサムネイルと動画像を混在して表示することができる。
【００１０】
情報表示画面１には、動画コンテンツから切り出した静止画がサムネイル２として表示される。動画コンテンツが多数存在し、サムネイル群が画面内に収まりきらない場合は、縦方向のスライドバー７や横方向のスライドバー８のスライドバーを利用する。なお、情報表示画面１では、サムネイルがタイル状に配置されているが、縦方向のみ、横方向のみ、斜めなど、どのような配置であっても本発明を適用可能である。
【００１１】
次に、本発明のプレビュー再生方法および装置についてについて図２と図３を参照しつつ説明する。図２及び図３は、それぞれ本発明の実施の形態のプレビュー再生方法を表すフローチャート、及び装置のブロック図である。ユーザが動画コンテンツ閲覧プログラムを実行すると、ステップＳ０１において、コンテンツ表示手段３００により、記憶装置に存在する動画コンテンツから静止画を取得し、情報表示画面に静止画のサムネイルを表示する。次に、ステップＳ０２において、コンテンツ選択手段３０１によりサムネイルを選択すると、選択されたサムネイルの表示が消え、ステップＳ０４において、再生処理手段３０３により選択されたサムネイルが表示されていたエリアに動画コンテンツが再生表示される（プレビュー再生）。ここで、コンテンツを選択するための矢印キーが上下左右の四方向であった場合、ステップＳ０３において、再生対象選別手段３０２により、選択されたコンテンツの上下左右に隣接するサムネイルも表示が消え、再生処理手段３０３によって、それぞれの表示エリアに動画コンテンツが再生表示される。
【００１２】
複数の動画コンテンツが再生された際、ステップＳ０５において、処理負荷監視手段３０４により、システム全体の処理負荷を監視し、負荷が限界に近づいたとき、ステップＳ０６において、プレビュー再生している動画のフレームレートを下げ、それでもなお負荷が大きい場合は、ステップＳ０７において、再生対象選別手段３０２に対して、再生対象となるコンテンツの数を減らすといった制御をリアルタイムで行う。
【産業上の利用可能性】
【００１３】
本発明のプレビュー再生方法によれば、キーボードやリモコンの矢印キーによって動画コンテンツをプレビュー再生する際に、システムの処理能力を効率よく利用し、複数の動画コンテンツをプレビュー再生する事により、矢印キーを押す回数を削減できる事から、動画コンテンツ閲覧機能を備えたプログラム等で有用である。
【図面の簡単な説明】
【００１４】
【図１】本発明の実施の形態の動画コンテンツ閲覧プログラムにおける情報表示画面を示す図
【図２】本発明の実施の形態のプレビュー再生方法を表すフローチャート
【図３】本発明の実施の形態のプレビュー再生装置のブロック図
【符号の説明】
【００１５】
１    情報表示画面
２    動画コンテンツ２のフレーム画像から切り出した静止画のサムネイル
３    動画コンテンツ３のフレーム画像から切り出した静止画のサムネイル
４    動画コンテンツ４のフレーム画像から切り出した静止画のサムネイル
５    動画コンテンツ５のフレーム画像から切り出した静止画のサムネイル
６    動画コンテンツ６のフレーム画像から切り出した静止画のサムネイル
７    情報表示画面で閲覧するコンテンツの縦方向の表示位置調整に使うスライドバー
８    情報表示画面で閲覧するコンテンツの横方向の表示位置調整に使うスライドバー
【図１】
2007233797.tif 000003
【図２】
2007233797.tif 000004
【図３】
2007233797.tif 000005